(57)【要約】【課題】表示部の表示領域を分割してなる分割表示領域のそれぞれに異なるソース機器から入力された画像を表示させることが可能な表示装置において、面倒な操作を必要とせず、直感的な操作で分割表示領域のサイズを変更できるようにする。【解決手段】表示装置１は、画像を表示する表示部１３と、表示部１３での表示制御を行う制御部１０と、ユーザによる操作入力を受け付ける操作入力部（タッチセンサ１２及び／又は操作部１４で例示）と、を備える。制御部１０は、表示部１３を２以上に分割してなる分割表示領域のそれぞれに異なるソース機器から入力された画像が表示された状態で、上記操作入力部が上記分割表示領域間の境界線を含む所定太さの線上の点から始まる、所定の操作を受け付けた場合、上記境界線を移動させるように表示制御を行う。【選択図】図１
2015194795.tif 000002
【特許請求の範囲】
【請求項１】
画像を表示する表示部と、前記表示部での表示制御を行う制御部と、ユーザによる操作入力を受け付ける操作入力部と、を備えた表示装置であって、
前記制御部は、前記表示部を２以上に分割してなる分割表示領域のそれぞれに異なるソース機器から入力された画像が表示された状態で、前記操作入力部が前記分割表示領域間の境界線を含む所定太さの線上の点から始まる、所定の操作を受け付けた場合、前記境界線を移動させるように表示制御を行うことを特徴とする表示装置。
【請求項２】
前記制御部は、前記表示部に表示されている画像とは別の画像が前記表示装置に入力可能な状態で、前記操作入力部が前記表示部と前記表示部の周囲に設けられたベゼル部との間の境界線を含む所定太さの線上の点から始まる、前記所定の操作を受け付けた場合、前記境界線を移動させるように新たな前記分割表示領域を生成し、新たに生成した前記分割表示領域に前記別の画像を表示させるように表示制御を行うことを特徴とする請求項１に記載の表示装置。
【請求項３】
前記所定の操作は、前記点を指定し、指定した位置から前記境界線に略垂直な方向にスライドするスライド操作であり、
前記制御部は、前記スライド操作でスライドさせた分だけ前記境界線を前記境界線の垂直方向に移動させるように表示制御を行うことを特徴とする請求項１又は２に記載の表示装置。
【請求項４】
前記所定の操作は、前記点を指定し、指定した位置から前記境界線に略垂直な方向に弾くフリック操作であり、
前記制御部は、所定距離だけ前記境界線を前記境界線の垂直方向に移動させるように表示制御を行うことを特徴とする請求項１又は２に記載の表示装置。
【請求項５】
前記制御部は、前記境界線の移動の前後で、前記分割表示領域のそれぞれに表示されていた画像のサイズを、縦横比を保ったまま変更することを特徴とする請求項１〜４のいずれか１項に記載の表示装置。
【請求項６】
前記制御部は、前記境界線の移動の前後で、前記分割表示領域のそれぞれに表示されていた画像のサイズを、縮尺を変えないで表示範囲を変更することにより変更することを特徴とする請求項１〜４のいずれか１項に記載の表示装置。
【請求項７】
前記操作入力部は、ユーザによる前記表示部の表示領域上でのタッチ操作を検出するタッチセンサを有することを特徴とする請求項１〜６のいずれか１項に記載の表示装置。
【請求項８】
前記操作入力部は、前記表示部の表示領域上にポインタを表示させた状態でユーザによる操作入力を受け付けるポインティングデバイスを有することを特徴とする請求項１〜７のいずれか１項に記載の表示装置。
【請求項９】
画像を表示する表示部と、前記表示部での表示制御を行う制御部と、ユーザによる操作入力を受け付ける操作入力部と、を備えた表示装置における表示方法であって、
前記表示部を２以上に分割してなる分割表示領域のそれぞれに異なるソース機器から入力された画像が表示された状態で、前記操作入力部が前記分割表示領域間の境界線を含む所定太さの線上の点から始まる、所定の操作を受け付けた場合、前記制御部が、前記境界線を移動させるように表示制御を行うことを特徴とする表示方法。
【発明の詳細な説明】
【技術分野】
【０００１】
本発明は、表示装置及び表示方法に関し、より詳細には、表示部の表示領域を分割してなる分割表示領域のそれぞれに異なる画像を表示させることが可能な表示装置、及びその表示装置における表示方法に関する。
【背景技術】
【０００２】
従来から、表示部の表示領域を分割してなる分割表示領域のそれぞれに異なる画像を表示させること、つまり複数画面での表示を行うことが可能な表示装置が流通している。このような複数画面表示時における分割表示領域間のサイズの比率は、固定されているか、段階的に変更可能となっている。
【０００３】
比率の変更には、リモートコントローラや表示装置の本体に設けられた操作ボタン（例えば左右キー等）を長押しして意図するところで止めるといった操作や、マウス等のポインティングデバイスを用いてそれぞれの画面を個々に拡大／縮小するといった操作が必要となる。
【０００４】
また、従来から、表示部にタッチセンサが搭載されている表示装置も流通している。特許文献１，２には、静電容量方式のタッチパネルにおいて操作領域外（ベゼル部に相当）からの入力信号を検出すると、その検出された入力信号を無効にする技術が開示されている。また、特許文献３には、静電容量方式のタッチパネルにおいて操作領域外（ベゼル部に相当）からの入力信号を検出した場合に、タッチパネルにおける静電容量値のキャリブレーションを行う技術が開示されている。
【先行技術文献】
【特許文献】
【０００５】
【特許文献１】特開２０１３−３８４１号公報
【特許文献２】特開２０１３−８８９２９号公報
【特許文献３】特開２０１２−２４２８６０号公報
【発明の概要】
【発明が解決しようとする課題】
【０００６】
しかしながら、従来技術による分割表示領域間のサイズの比率の変更方法では、上述のように操作ボタンやポインティングデバイスによる面倒な操作が必要である。
【０００７】
また、特許文献１〜３のようなタッチパネルを搭載した表示装置であっても、操作ボタンやポインティングデバイスを用いる代わりに、次のような表示画面（画像の表示領域）上でのタッチ操作が必要となる。このタッチ操作としては、それぞれの分割表示領域を個々に拡大／縮小させるような、操作ボタン等を用いる場合と同様の面倒な操作が挙げられる。また、上記のタッチ操作としては、それぞれの分割表示領域間の境界線を移動させるような操作も考えられる。後者の操作は、Ｍｉｃｒｏｓｏｆｔ（登録商標）  Ｗｉｎｄｏｗｓ（登録商標；以下同様。） ８．１で採用されているようなマルチウィンドウ画像に対して実行できるが、異なるソース機器から入力された画像間の境界線の移動に対応できるものではない。
【０００８】
本発明は、上述のような実状に鑑みてなされたものであり、その目的は、表示部の表示領域を分割してなる分割表示領域のそれぞれに異なるソース機器から入力された画像を表示させることが可能な表示装置において、面倒な操作を必要とせず、直感的な操作で分割表示領域のサイズを変更できるようにすることにある。
【課題を解決するための手段】
【０００９】
上記の課題を解決するために、本発明の第１の技術手段は、画像を表示する表示部と、前記表示部での表示制御を行う制御部と、ユーザによる操作入力を受け付ける操作入力部と、を備えた表示装置であって、前記制御部は、前記表示部を２以上に分割してなる分割表示領域のそれぞれに異なるソース機器から入力された画像が表示された状態で、前記操作入力部が前記分割表示領域間の境界線を含む所定太さの線上の点から始まる、所定の操作を受け付けた場合、前記境界線を移動させるように表示制御を行うことを特徴としたものである。
【００１０】
本発明の第２の技術手段は、第１の技術手段において、前記制御部は、前記表示部に表示されている画像とは別の画像が前記表示装置に入力可能な状態で、前記操作入力部が前記表示部と前記表示部の周囲に設けられたベゼル部との間の境界線を含む所定太さの線上の点から始まる、前記所定の操作を受け付けた場合、前記境界線を移動させるように新たな前記分割表示領域を生成し、新たに生成した前記分割表示領域に前記別の画像を表示させるように表示制御を行うことを特徴としたものである。
【００１１】
本発明の第３の技術手段は、第１又は第２の技術手段において、前記所定の操作は、前記点を指定し、指定した位置から前記境界線に略垂直な方向にスライドするスライド操作であり、前記制御部は、前記スライド操作でスライドさせた分だけ前記境界線を前記境界線の垂直方向に移動させるように表示制御を行うことを特徴としたものである。
【００１２】
本発明の第４の技術手段は、第１又は第２の技術手段において、前記所定の操作は、前記点を指定し、指定した位置から前記境界線に略垂直な方向に弾くフリック操作であり、前記制御部は、所定距離だけ前記境界線を前記境界線の垂直方向に移動させるように表示制御を行うことを特徴としたものである。
【００１３】
本発明の第５の技術手段は、第１〜第４のいずれか１の技術手段において、前記制御部は、前記境界線の移動の前後で、前記分割表示領域のそれぞれに表示されていた画像のサイズを、縦横比を保ったまま変更することを特徴としたものである。
【００１４】
本発明の第６の技術手段は、第１〜第４のいずれか１の技術手段において、前記制御部は、前記境界線の移動の前後で、前記分割表示領域のそれぞれに表示されていた画像のサイズを、縮尺を変えないで表示範囲を変更することにより変更することを特徴としたものである。
【００１５】
本発明の第７の技術手段は、第１〜第６のいずれか１の技術手段において、前記操作入力部は、ユーザによる前記表示部の表示領域上でのタッチ操作を検出するタッチセンサを有することを特徴としたものである。
【００１６】
本発明の第８の技術手段は、第１〜第７のいずれか１の技術手段において、前記操作入力部は、前記表示部の表示領域上にポインタを表示させた状態でユーザによる操作入力を受け付けるポインティングデバイスを有することを特徴としたものである。
【００１７】
本発明の第９の技術手段は、画像を表示する表示部と、前記表示部での表示制御を行う制御部と、ユーザによる操作入力を受け付ける操作入力部と、を備えた表示装置における表示方法であって、前記表示部を２以上に分割してなる分割表示領域のそれぞれに異なるソース機器から入力された画像が表示された状態で、前記操作入力部が前記分割表示領域間の境界線を含む所定太さの線上の点から始まる、所定の操作を受け付けた場合、前記制御部が、前記境界線を移動させるように表示制御を行うことを特徴としたものである。
【発明の効果】
【００１８】
本発明によれば、表示部の表示領域を分割してなる分割表示領域のそれぞれに異なるソース機器から入力された画像を表示させることが可能な表示装置において、面倒な操作を必要とせず、直感的な操作で分割表示領域のサイズを変更（調整）できるようになる。
【図面の簡単な説明】
【００１９】
【図１】本発明の第１の実施形態に係る表示装置の一構成例を示す機能ブロック図である。
【図２】図１の表示装置における表示変更処理の前の状態である２画面表示状態において、境界線にタッチした状態の一例を示す図である。
【図３Ａ】図１の表示装置における表示変更処理の前の状態である２画面表示状態において、境界線にタッチした状態の他の例を示す図である。
【図３Ｂ】図２又は図３Ａの表示装置に対して表示変更処理を施した後の２画面表示の一例を示す図である。
【図３Ｃ】図１の表示装置における表示変更処理の前の状態である１画面表示状態の一例を示す図である。
【図３Ｄ】図３Ｂの表示装置に対して表示変更処理を施した後の３画面表示の一例を示す図である。
【図３Ｅ】図３Ｂの表示装置に対して表示変更処理を施した後の３画面表示の他の例を示す図である。
【図４】本発明の第２の実施形態に係る表示装置における表示変更処理の一例を説明するためのフロー図である。
【図５】本発明の第４の実施形態に係る表示装置の一構成例を示す機能ブロック図である。
【図６】本発明の第５の実施形態に係る表示装置の回路構成例を示す図である。
【発明を実施するための形態】
【００２０】
本発明に係る表示装置は、画像を表示する表示部と、表示部での表示制御を行う制御部と、ユーザによる操作入力を受け付ける操作入力部と、を備え、上記表示部（上記表示部の表示領域）を分割してなる分割表示領域のそれぞれに異なる画像を表示させることが可能な装置である。特に、この表示装置では、上記異なる画像として異なるソース機器から入力された画像を表示させることが可能となっている。
【００２１】
本発明に係る表示装置としては、それに接続された外部のソース機器から有線又は無線で出力された画像を表示できるモニタ機能を有するモニタ装置が挙げられる。上記ソース機器としては、例えば設置型のパーソナルコンピュータ（ＰＣ）やモバイルＰＣやタブレット型の端末装置（以下、タブレット端末）等の情報処理装置、携帯電話機（スマートフォンと呼ばれるものも含む）、レコーダ機器等のコンテンツ録画再生装置、ＢＤ（Blu-ray Disc：登録商標）プレーヤ等のコンテンツ再生装置などが挙げられる。
【００２２】
以下、本発明の様々な実施形態について、主に、表示装置としてモニタ装置を例に挙げて説明するが、本発明に係る表示装置はこれに限ったものではない。より具体的には、本発明に係る表示装置は、それ自体にコンテンツを再生するコンテンツ再生機能をもたせ、設置型ＰＣやモバイルＰＣやタブレット端末等の情報処理装置、携帯電話機（スマートフォンと呼ばれるものも含む）、テレビ装置などとして構成することもでき、その場合、内部に少なくとも１つのソース機器を具備すると言える。本発明に係る表示装置は、このようなコンテンツ再生機能を有する場合、外部のソース機器に接続するための構成を具備しないようにしてもよい。
【００２３】
（第１の実施形態）
図１は、本発明の第１の実施形態に係る表示装置の一構成例を示すブロック図である。
本実施形態に係る表示装置１は、図１で例示するように、制御部１０及び表示部１３を備えると共に、上記操作入力部として、タッチセンサ１２及び操作部１４を備えている。なお、上記操作入力部としてタッチセンサ１２又は操作部１４のいずれか一方を備えるだけでもよい。また、図１で例示する表示装置１は、外部のソース機器と通信するための通信部１１を備えている。
【００２４】
表示部１３は、画像を表示する表示パネルを有する。表示パネルとしては、液晶ディスプレイや有機エレクトロルミネッセンスディスプレイ等、様々な表示方式のパネルが挙げられる。通信部１１は、外部のソース機器と有線又は無線で通信するための通信インターフェイスである。この通信インターフェイスも、通信規格に応じた様々なものを適用することができる。
【００２５】
制御部１０は、表示装置１の全体を制御する。制御部１０は、プログラム保存領域に格納されたプログラムを動作させ、各種制御を行う。例えば制御部１０は、ＣＰＵ（Central Processing Unit）又はＭＰＵ（Micro Processing Unit）、作業領域としてのＲＡＭ（Random Access Memory）、及び記憶装置などの制御デバイスで構成され、その一部又は全部を集積回路／ＩＣチップセットとして搭載することもできる。
【００２６】
この記憶装置には、制御プログラム（本発明に係る表示変更処理を実行するプログラムを含む）をはじめ、ＯＳＤ（On Screen Display）画像として表示させるためのＵＩ（User Interface）画像、各種設定内容などが記憶される。この記憶装置としては、フラッシュＲＯＭ（Read Only Memory）、ＥＥＰＲＯＭ（Electrically Erasable and Programmable  ＲＯＭ）等が挙げられる。表示装置１の種類によってはこの記憶装置としてＨＤＤ（Hard Disk Drive）を採用することもできる。
【００２７】
タッチセンサ１２は、ユーザによる表示部１３の表示領域（全表示領域）上でのタッチ操作を検出するセンサであり、例えば表面型又は投射型の静電容量方式、電磁誘導方式、赤外線方式、表面弾性波方式、抵抗膜方式など、様々な方式のセンサが適用できる。タッチセンサ１２は、表示部（表示パネル）１３の表面に重ねるようにパネルとして設けられるものが多く、単体で若しくは表示パネルと合わせて、タッチパネルとも呼ばれる。
【００２８】
タッチセンサ１２は、タッチ操作を検出するとタッチ操作がなされた位置を特定する情報（入力座標情報）を制御部１０に渡すか、若しくは制御部１０がポーリング処理等によりタッチセンサ１２に対するタッチ操作の入力を監視する。タッチセンサ１２と、制御部１０におけるそのタッチセンサ１２を制御する部位とで、ユーザによるタッチ操作を受け付けるタッチ操作部を構成する。制御部１０は、タッチ操作部によるタッチ操作入力の検出に応答して、検出された入力座標情報を取得し、その入力座標が表示部１３の表示画面のどの位置であるかを判定し、その判定結果に基づいて表示部１３の表示画面に表示に応じた処理等を行う。
【００２９】
操作部１４は、表示部１３の表示領域上にポインタを表示させた状態でユーザによる操作入力を受け付けるポインティングデバイス、及びそこからの操作信号を有線又は無線で受信する受信部で構成される。ポインティングデバイスとしては、マウスをはじめ、ジョイスティック、タッチパッド、トラックボールなどが挙げられる。
【００３０】
また、表示装置１は、図示しない例えば電源キーや音量調整キーなどのハードウェアキー（操作ボタン）を有し、そのキーからの操作の入力を検出し、制御部１０に渡し、操作に応じた処理を制御部１０が実行する。例えば電源キーを所定時間（ｔ秒とする）以上押下されることで電源のＯＮ又はＯＦＦを実行し、ｔ秒未満の押下により操作メニューを示すＯＳＤ画像を読み出して表示部１３に重畳して表示させてもよい。このＯＳＤ画像を表示した状態で、タッチセンサ１２又は操作部１４から表示装置１についての各種設定を受け付けるようにすればよい。
【００３１】
次に、本発明の主たる特徴について説明する。まず、制御部１０は、表示部１３の表示領域（ユーザが視認できる全表示領域）を２以上に分割してなる分割表示領域のそれぞれに異なるソース機器から入力された画像が表示された状態になるように表示制御を行う。この表示制御自体は、既存の複数画面表示技術で実現できる。
【００３２】
そして、本発明の主たる特徴として、制御部１０は、このような状態で操作入力部が、分割表示領域間の境界線を含む所定太さの線上の点から始まる、所定の操作を受け付けた場合、上記境界線を移動させるように表示制御を行う。このような表示変更処理について詳細に説明する。
【００３３】
上記所定の太さの線上とは、上記境界線を挟む所定範囲（所定幅であって、好ましくは上記境界線を中心とする所定範囲）の長方形内を指す。境界線を含む所定太さの線上の点であることの判定（以下、判定Ｉと呼ぶ）は、縦線の境界線が存在する場合、そのタッチされた点の横方向の座標を、縦線の境界線を含む所定太さの線の横方向の座標範囲と比較し、その座標がその座標範囲内に入っていれば、境界線を含む所定太さの線上の点であると判定（認識）すればよい。同様に、横線の境界線が存在する場合にも、同様の考え方で縦方向の座標を比較することで判定すればよい。
【００３４】
なお、このように境界線そのものではなく、それを含む所定太さの線で判定する理由は、ユーザが境界線上を常に正確に指定することが難しいためであり、境界線上を指定しようとしてユーザが操作したとみなす範囲を広くするためである。
【００３５】
上記操作入力部としてタッチセンサ１２を用いる場合、上記所定の操作は所定のタッチ操作を指す。上記点から始まる上記所定のタッチ操作を受け付けたか否かの判定は、制御部１０側で行えばよいが、タッチセンサ１２自身で行うようにタッチセンサ１２を構成しておいてもよい。上記操作入力部として操作部１４を用いる場合、上記所定の操作はポインティングデバイスによる所定の操作を指す。上記点から始まる上記所定の操作を受け付けたか否かの判定は、制御部１０側で行えばよい。
【００３６】
上記所定の操作であることの判定（以下、判定ＩＩと呼ぶ）は、上記所定の操作をどのように定義しておくかにより決まる。次に、この定義について例を挙げて説明する。
【００３７】
一例として、上記所定の操作は、上記点を指定し、指定した位置から上記境界線に略垂直な方向にスライドするスライド操作であると定義しておけばよい。ここで、指定とは、タッチ操作の場合にはタッチすることで指定することを指し、ポインティングデバイスによる操作の場合には設けられた１つのボタンをクリックするなどして指定することを指す。なお、このスライド操作は、指定してそのタッチやクリックしたボタンなどを離さないまま移動して止める操作であり、スワイプ操作と呼ばれることもある。また、この例に限らず、タッチはユーザの指又はタッチペンで行えばよい。
【００３８】
この場合、制御部１０は、上記スライド操作でスライドさせた分だけ上記境界線を上記境界線の垂直方向に移動させるように表示制御を行うことが好ましい。代わりに、制御部１０は、上記スライド操作を受けた方向に所定距離だけ上記境界線を移動させるように表示制御するようにしてもよい。
【００３９】
また、スライド操作の代わりに、上記所定の操作は、上記点を指定し、指定した位置から上記境界線に略垂直な方向に弾くフリック操作であると定義付けすることもできる。このフリック操作は特にタッチ操作で頻繁に用いられる操作であるが、ポインティングデバイスによる操作においてもクリックで指定した後、上記方向に移動させながらクリックを止めるような操作として定義できる。この場合、制御部１０は、所定距離だけ上記境界線を上記境界線の垂直方向に移動させるように表示制御を行えばよい。
【００４０】
補足的に、スライド操作とフリック操作との判定方法の違いについて説明する。ここでは、タッチセンサ１２でのタッチ操作について例に挙げて説明するが、操作部１４であってもタッチによる指定がクリック等による指定に置き換わるだけで、基本的には同様であり、一部を除いてその説明を省略する。
【００４１】
両者の区別は、例えば（１）タッチしている期間、（２）タッチ開始の位置、（３）タッチ開始時の静止期間、のいずれかにより判定することができる。上記（１）では、タッチ後、平行移動させ、タッチが離されるまでの期間が第１の所定時間よりも短い場合はフリック操作がなされたと判定し、第１の所定時間以上であった場合はタッチを離した位置までのスライド操作がなされたと判定する。
【００４２】
上記（２）では、境界線を含む所定太さの線の範囲内であって境界線から所定範囲内の距離からタッチが開始された場合はスライド操作がなされたと判定し、上記所定太さの線の範囲内であって上記所定範囲外の距離からタッチが開始された場合はフリック操作がなされたと判定する。
【００４３】
上記（３）では、タッチ開始時に第２の所定時間以上の静止状態が続いた場合はスライド操作がなされたと判定し、タッチ開始時に静止しなかった場合（第２の所定時間未満の場合）はフリック操作であると判定する。但し、タッチ操作の例に関し、例えばＷｉｎｄｏｗｓ ７以降では、長押しのタッチをマウス等のポインティングデバイスによる右クリック操作に割り当てているため、上記（３）においてスライド操作と判定した場合（及びフリック操作と判定した場合）は、ＯＳＤ表示などでその判定結果を表示するようにすることが好ましい。クリック等による指定操作の例では、上記右クリック操作以外のボタンの操作に対して、スライド操作又はフリック操作を受け付ければよい。
【００４４】
次に、境界線を移動させるような表示制御について、図２、図３Ａ及び図３Ｂを参照しながら実際の使用場面を例に挙げて説明する。ここでは、タッチセンサ１２でのタッチ操作について例に挙げて説明するが、操作部１４であってもタッチによる指定がボタンのクリック等による指定に置き換わるだけで、基本的には同様であり、一部を除いてその説明を省略する。
【００４５】
図２は、図１の表示装置における表示変更処理の前の状態である２画面表示状態において、境界線にタッチした状態の一例を示す図で、図３Ａは、その状態の他の例を示す図である。また、図３Ｂは、図２又は図３Ａの表示装置に対して表示変更処理を施した後の２画面表示の一例を示す図である。なお、図２や図３Ａにおいては、ベゼル部１７も図示している。ベゼル部１７とは、表示部１３の周囲に設けられた枠であり、基本的に表示部１３を表示装置１のキャビネットに配設するための枠（外縁）であると言える。
【００４６】
上述したように、分割表示領域に表示される画像のそれぞれは異なるソース機器から入力された画像である。図１で例示した表示装置１には、第１画像と第２画像の合計２つの画像が入力されている。特にここでは、図２で示すように、第１画像２０ａがＰＣ４ｐから入力され、第２画像２０ｂがスマートフォン４ｓから入力され、第１画像２０ａと第２画像２０ｂがそれぞれ別の分割表示領域に表示されている場面を例に挙げる。
【００４７】
なお、第２画像２０ｂは、スマートフォン４ｓにおいてその表示部４６に表示される画像４６ａと同じ画像とする。また、図２で例示する表示装置１は、ＰＣ４ｐ、スマートフォン４ｓのいずれに対しても２本のケーブルで接続されている。そのうち１本が画像を伝送するためのケーブルであり、他の１本がタッチ操作部によるタッチ操作などのユーザ操作の情報をソース機器側に送信するためのケーブルである。
【００４８】
前者のケーブルとしては、例えばHigh-Definition Multimedia Interface（ＨＤＭＩ：登録商標、以下同様）規格やMobile High-definition Link（ＭＨＬ：登録商標、以下同様）規格のケーブルが挙げられる。後者のケーブルとしては、例えばUniversal Serial Bus（ＵＳＢ：登録商標、以下同様）規格のケーブルが挙げられる。また、図３Ａ〜図３Ｅではソース機器の図示を省略している。なお、無線で接続する場合には、例えば、Ｍｉｒａｃａｓｔ対応のＨＤＭＩアダプタ、ＷｉＦｉ（登録商標）規格の無線機器などを、表示装置１やソース機器に搭載しておけばよい。
【００４９】
図２の例では、分割表示領域が左右に２つ存在し、その境界線は縦方向となっている。そして、図２では境界線に対するスライド操作を行う例を挙げる。図３Ａの例は、図２の例と比較して、境界線を含む所定の太さの線がタッチされた段階で、境界線が移動可能であることを示すようなポインタ２１を表示させている点が異なるだけである。ポインタ２１は、換言すれば、画面構成比変更モードに入ることを明示するためのカーソルアイコンである。無論、スライド操作やフリック操作は、一旦、境界線を含む所定太さの線上の点がタッチされた時点でその線上にポインタ２１を表示させ、その段階でポインタ２１上での受け付けを開始してもよい。タッチが離れた後、スライド操作やフリック操作がなされて境界線が移動された後、或いは再度の一瞬のタッチがなされるか所定時間が経過した場合には、ポインタ２１の表示を消去すればよい。
【００５０】
このようなポインタ２１を表示させることで、ユーザに境界線が移動可能であることを知らしめることができる。なお、タッチ操作ではなくポインティングデバイスによる操作の場合には、通常のポインタから上記ようなポインタ２１に変更すればよい。
【００５１】
図２又は図３Ａに示すようにユーザが指Ｆで、分割表示領域間の境界線を含む所定太さの線上の点から始まる、左方向へのスライド操作を行った場合、タッチセンサ１２がそれを受け付け、制御部１０は、図３Ｂに示すようにその境界線をスライドさせた分だけ移動させるように表示制御を行う。
【００５２】
ここで、境界線を移動させることは、制御部１０が、その境界線を認識すると共に、その境界線に垂直な方向（この例では横方向）における分割表示領域間での比率を変更させることを意味する。図２又は図３Ａから図３Ｂへの表示状態の変更例では、第１画像２０ａが横方向に縮小されて第１画像２０ｃとなり、第２画像２０ｂが横方向に拡大されて第２画像２０ｄとなっている。また、この例では、制御部１０は、上記境界線の移動の前後（分割表示領域のサイズの変更の前後）で、分割表示領域のそれぞれに表示されていた画像のサイズを、縦横比を保ったまま縮小／拡大処理（スケーリング処理）により変更している。また、このようなスケーリング処理だけでなく、必要に応じて黒帯付加又は黒帯除去の処理を施せばよい。
【００５３】
２画面表示時における画面サイズの同時変更は、従来ではメニュー等から左右キーなどで調整していたが、本実施形態では、図２又は図３Ａ及び図３Ｂで例示したようにこの調整を境界線を含む所定太さの線へのタッチ操作（境界線タッチ）により行っている。これにより、本実施形態では、視覚的・感覚的にも優れた２画面の比率変更を行うことができる。
【００５４】
代替処理として、制御部１０は、上記境界線の移動の前後で、分割表示領域のそれぞれに表示されていた画像のサイズを、縮尺を変えないで表示範囲を変更することにより変更するようにしてもよい。縮尺を変えないで表示範囲を変更するとは、移動前の状態から表示画像を一部隠すか、隠れていた部分を表示させるようにすることを指す。この場合にも、必要に応じて黒帯付加又は黒帯除去の処理を施せばよい。
【００５５】
以上のように、本実施形態に係る表示装置１では、表示部１３を分割してなる分割表示領域のそれぞれに異なるソース機器から入力された画像を表示させることが可能であって、且つ、面倒な操作を必要とせず、直感的な操作で分割表示領域のサイズを変更（調整）できるようになる。換言すれば、本実施形態では、分割表示領域間でのサイズの比率を変更するような表示変更処理が、境界線を含む所定太さの線上の点から始まる所定の操作という、視覚的・感覚的にユーザの意図と合致した操作により実現できるため、操作性が向上する。
【００５６】
なお、本実施形態を含め、本発明の表示変更処理について、上記分割表示領域が矩形であることを前提として説明しているが、上記分割表示領域が矩形でなくてもその上下方向の範囲と左右方向の範囲さえ分かれば、その範囲の４辺を境界線として取り扱うことで、同様の表示変更処理が実行できる。また、本実施形態も含め、本発明の表示変更処理において、タッチ操作又はポインティングデバイスによる操作とそれに応じた表示変更処理とのタイミング、つまり表示変更処理を実行する間隔は任意に決めておけばよい。
【００５７】
（第２の実施形態）
本発明の第２の実施形態について、図３Ｃ、図３Ｄ、及び図４を併せて参照しながら説明する。図４は、本発明の第２の実施形態に係る表示装置における表示変更処理の一例を説明するためのフロー図である。また、図３Ｃは、図１の表示装置における表示変更処理の前の状態である１画面表示（全画面表示）状態の一例を示す図で、図４の表示変更処理を説明するための図である。また、図３Ｄは、図３Ｂの表示装置に対して表示変更処理を施した後の３画面表示の一例を示す図で、図３Ｅは、図３Ｂの表示装置に対して表示変更処理を施した後の３画面表示の他の例を示す図である。
【００５８】
本実施形態について、第１の実施形態との相違点を中心に説明するが、第１の実施形態で説明した様々な応用例も同様に適用できる。例えば、本実施形態では、タッチセンサ１２でのタッチ操作について例に挙げて説明するが、他の操作入力部の例である操作部１４であっても、タッチによる指定がボタンのクリック等による指定に置き換わるだけで、基本的には同様であり、その説明を省略する。
【００５９】
本実施形態における制御部１０は、第１の実施形態における表示変更処理（第１表示変更処理と言う）に加え、次に説明するような表示変更処理（第２表示変更処理と言う）も行う。
【００６０】
上記第２表示変更処理は、表示部１３（表示部１３の表示領域）に表示されている画像（１つの画像又は分割表示領域のそれぞれの画像）とは別の画像が表示装置１に入力可能な状態で、タッチセンサ１２が表示部１３（上記表示領域）とベゼル部１７との間の境界線（つまり表示領域の４つの外枠線分を含む所定太さの線上の点から始まる、上記所定の操作（所定のタッチ操作）を受け付けた場合に実行される。
【００６１】
ここで、上記入力可能な状態とは、最も単純な例を挙げると、図３Ｃで例示するように表示領域に１つの画像（第１画像２０ｅ）が表示された状態で且つその１つの画像とは別の画像（第２画像４６ａ）が表示装置１に入力されていた状態を指す。このように、上記入力可能な状態としては、実際に入力されている状態であることが望ましいが、制御部１０からの入力指示により入力可能な状態になっていればよい。
【００６２】
また、ここでの境界線とは、表示部１３の表示領域を示す４辺（表示領域の外枠線分）のいずれかを指す。例えば、図３Ｃのように、表示装置１の右側にある境界線（辺）上の点から始まる、所定のタッチ操作を受け付けた場合に、上記第２表示変更処理が施される。また、上記所定のタッチ操作としては、ベゼル部１７と上記表示領域との間に存在する境界線に略垂直な方向へのスライド操作やフリック操作が適用できる。
【００６３】
また、ここでの所定太さの線とは、上記境界線を含む所定範囲（基本的に表示領域の外縁から内側に所定範囲）の長方形内を指す。但し、投射型の静電容量方式のタッチセンサの場合などはベゼル部１７でもタッチを検出できることもあるため、それを利用し、表示領域の外縁より外側の部分も含めて上記所定範囲を定めておいてもよい。
【００６４】
そして、上記第２表示変更処理では、制御部１０が、上記境界線を移動させるように新たな分割表示領域を生成し、新たに生成した分割表示領域に上記別の画像を表示させるように表示制御を行う。
【００６５】
図３Ｃ及び図３Ｂを参照しながら、上記所定のタッチ操作として上記スライド操作を採用した例を挙げて説明する。図３Ｃのように第１画像２０ｅが表示された状態で、ユーザが指Ｆで表示装置１の右側にある境界線（辺）を含む所定太さの線上の点から始まる、上記スライド操作を行った場合、タッチセンサ１２がそれを検出し、制御部１０に渡す。制御部１０は、そのスライド分だけ境界線を移動させて１つの新たな分割表示領域を生成し、その新たな分割表示領域に上記別の画像（入力可能な第２画像４６ａ）を表示させるように表示制御を行う。
【００６６】
例えば、ユーザが図３Ｂで例示する指Ｆの位置までスライドした場合、制御部１０は、図３Ｂのように元の表示領域に表示されていた第１画像２０ｅを縮小して第１画像２０ｃを表示させ、新たな分割表示領域に第２画像４６ａを拡大した第２画像２０ｄを表示させることになる。
【００６７】
なお、逆に、タッチセンサ１２が左側の辺を含む所定太さの線上の点から始まる、上記スライド操作を検出した場合、制御部１０は、左側に第２画像２０ｄを表示させ右側に第１画像２０ｃを表示させることになる。また、横方向の境界線（上側又は下側の辺）を含む所定太さの線上の点から始まる、上記スライド操作を受け付けた場合には、制御部１０は、同様にその境界線を上下方向に移動させて新たな分割表示領域に上記別の画像を表示させる表示制御を行えばよい。
【００６８】
ここで、上記表示領域に表示されていた画像が分割表示領域のそれぞれに表示された複数の画像で構成される場合にも、その全体の画像とは別の分割表示領域に上記別の画像を表示させればよい。これにより、上記全体の画像も全体的にスケーリング処理等により縮小されることになる。このとき、上記全体の画像については各画像の分割表示領域毎にスケーリング処理等を行えばよい。
【００６９】
このような処理について、図３Ｂ及び図３Ｄを参照しながら、上記所定のタッチ操作として上記スライド操作を採用した例を挙げて説明する。図３Ｂの表示状態のように第１画像２０ｃ及び第２画像２０ｄが２画面表示された状態で、ユーザが右側のベゼル部１７と表示領域との境界線から図３Ｄで例示する指Ｆの位置までスライド操作を行った場合、タッチセンサ１２がそれを検出し、制御部１０に渡す。このスライド操作は、表示領域の右辺に垂直な、内部方向へ向かうスライド操作とする。
【００７０】
制御部１０は、図３Ｄのように元の表示領域に表示されていた第１画像２０ｃ、第２画像２０ｄをそれぞれ縮小して第１画像２０ｆ、第２画像２０ｇを表示させ、新たな分割表示領域に第３画像２０ｈを表示させることになる。なお、第３画像２０ｈは、図３ＡのＰＣ４ｐやスマートフォン４ｓとは異なるソース機器から入力された画像に対し、必要に応じてスケーリング処理等を施した画像である。
【００７１】
なお、逆に、タッチセンサ１２が左側のベゼル部１７と表示領域の境界線から始まるスライド操作を検出した場合、制御部１０は、左側に第３画像２０ｈを表示させ、その右側に第１画像２０ｆを表示させ、さらにその右側に第２画像２０ｇを表示させることになる。
【００７２】
また、上側又は下側のベゼル部１７と表示領域の境界線上の点から始まる、上記スライド操作を受け付けた場合には、制御部１０は、同様に辺（境界線）を移動させて新たな分割表示領域に上記別の画像を表示させる表示制御を行えばよい。例えば、上側のベゼル部１７との境界線上の点から始まるスライド操作であった場合、上側に第３画像２０ｈを表示させ、その下側に第１画像２０ｆと第２画像２０ｇを並べた状態で表示させればよい。
【００７３】
このように、上記表示領域に表示されていた画像が分割表示領域のそれぞれに表示された複数の画像で構成される場合にも、その全体の画像とは別の分割表示領域に上記別の画像を表示させればよい。但し、上記境界線（辺）の一部のみを移動させ、ある分割表示領域についてはスケーリング処理等を施さないようにすることもできる。
【００７４】
このような処理について、図３Ｂ及び図３Ｅを参照しながら、上記所定のタッチ操作として上記スライド操作を採用した例を挙げて説明する。そして、図３Ｂの表示状態において且つ新たな画像（図３Ｅの画像２０ｋ）が入力された状態において、ユーザが図３Ｅで例示するように指Ｆをスライドした場合について説明する。
【００７５】
この場合、制御部１０は、元の表示領域に表示されていた第１画像２０ｃ及び第２画像２０ｄのうち、第２画像２０ｄをそのまま表示させ（図３Ｅでは第２画像２０ｊと表記）、第１画像２０ｃを縮小した第１画像２０ｉを表示させ、その縮小させた分により生成された新たな分割表示領域に第３画像２０ｋを表示させる。このように、元の表示領域に縦長の画像２０ｄと横長の画像２０ｃが表示されており、且つ新たに表示させる別の画像２０ｋが横長である場合には、縦長の画像２０ｄを、スケーリング処理等を施さずそのまま表示させるようにすればよい。
【００７６】
また、横長や縦長などに関係なく、縮小させる画像は、上記スライド操作の位置に最も近い側の画像として特定するようにしてもよい。そのような処理によっても図３Ｂから図３Ｅの状態への表示変更処理が実現できる。
【００７７】
図４を参照しながら、境界線へのタッチを検知した場合の表示制御（描画制御）の一例について説明する。ここでは、説明の簡略化のために、上記所定のタッチ操作としてスライド操作を採用し、表示装置１では全画面表示、２画面表示のいずれかの表示が可能であるものとして説明する。
【００７８】
まず、制御部１０がタッチセンサ１２からの検出結果に基づき境界線タッチが発生したか否かを判定する（ステップＳ１）。境界線タッチが発生した場合（ステップＳ１でＹＥＳの場合）、制御部１０は、現在の画面構成を確認し、２画面構成であるか否かを判定する（ステップＳ２）。
【００７９】
２画面構成でなかった場合（ステップＳ２でＮＯの場合）、すなわち全画面表示（１画面表示）であった場合、制御部１０は、２画面構成にするための別の画像の入力が可能なソース機器が他にあるかを確認する（ステップＳ３）。他にない場合（ステップＳ３でＮＯの場合）、制御部１０は、ステップＳ１で受け付けた境界線タッチの操作を無効として取り扱い、ステップＳ１に戻って次の境界線タッチを待つ。
【００８０】
ステップＳ２でＹＥＳの場合、制御部１０は、図３Ｂのポインタ２１のような境界線変更開始（つまり画面構成比変更モードに入ること）を明示する矢印を表示させ（ステップＳ４）、その後、受け付けたその矢印の移動量から境界線の移動量を検出する（ステップＳ５）。
【００８１】
その後、制御部１０は、ステップＳ５で検出した移動量、つまり境界線タッチにおけるスライド操作の終端位置から、分割表示領域（２画面）の比率を割り出し（ステップＳ６）、その比率に基づきスケーリング処理等を施すことで、それぞれの画面の再構築（表示変更処理）を行う（ステップＳ７）。また、ステップＳ３でＹＥＳの場合、つまり２画面構成が可能な場合にも、ステップＳ４〜Ｓ７の処理を実行する。
【００８２】
また、本実施形態における第２表示変更処理において、上記所定のタッチ操作として上記フリック操作を採用した場合には、第１表示変更処理と同様に所定距離だけ辺（境界線）を移動させるように新たな分割表示領域を生成し、その新たな分割表示領域に上記別の画像を表示させればよい。
【００８３】
以上のように、本実施形態に係る表示装置１では、新たな分割表示領域を増やすような表示変更処理も、ほぼ境界線上の点から始まる所定のタッチ操作という、視覚的・感覚的にユーザの意図と合致したタッチ操作により実現できるため、操作性が向上する。
【００８４】
また、逆に、図３Ｂの表示状態において、ユーザが指Ｆを図３Ｂに示す位置から右方向に右側のベゼル部１７に到達するまでスライドさせた場合、タッチセンサ１２がそれを検出して、制御部１０が図３Ｃの表示状態のように分割表示領域を１つ削除するように表示制御を行い、結果的に第１画像２０ｅのみを表示させるようにしてもよい。同様に、図３Ｄの表示状態において、ユーザが指Ｆを図３Ｄに示す境界線の位置からから右方向にスライドさせた場合、タッチセンサ１２がそれを検出して、制御部１０が図３Ｂの表示状態のようにその境界線の位置より右側の分割表示領域を削除するように表示制御を行い、結果的に第１画像２０ｃ及び第２画像２０ｄのみを表示させるようにしてもよい。
【００８５】
すなわち、タッチセンサ１２が分割表示領域間の境界線を含む所定太さの線上の点から始まる、上記スライド操作（境界線に略垂直な方向へのスライド操作）を受け付けた場合、その境界線を移動させるように表示制御を行い、最終的にタッチセンサ１２が表示部１３（上記表示領域）とベゼル部１７との間の境界線を含む所定太さの線上の点に至る上記スライド操作を受け付けた場合、その境界線をベゼル部１７まで移動させ分割表示領域を削除するように表示制御を行う。
【００８６】
また、スライド操作の代わりにフリック操作でもこのような削除を行うことはできる。具体的には、第１の実施形態における第１表示変更処理において、タッチセンサ１２が分割表示領域間の境界線を含む所定太さの線上の点から始まる、フリック操作（境界線に略垂直な方向へのフリック操作）を受け付けた場合、制御部１０がその境界線をベゼル部１７まで移動させ分割表示領域を削除するように表示制御を行うようにすればよい。すなわち、第１表示変更処理において、上記所定距離を、その境界線からベゼル部１７までの距離としておけば、上記フリック操作により図３Ｂの表示状態から図３Ｃの表示状態への表示変更処理や図３Ｄの表示状態から図３Ｂの表示状態への表示変更処理が実現できる。
【００８７】
（第３の実施形態）
本発明の第３の実施形態について説明する。本実施形態では、第１の実施形態における第１の表示変更処理、第２の実施形態における第２の表示変更処理を行うための上記所定のタッチ操作として、上記スライド操作や上記フリック操作以外であるピンチアウト操作やピンチイン操作を採用したものである。
【００８８】
本実施形態について、第１の実施形態との相違点を中心に説明するが、第１の実施形態で説明した様々な応用例も同様に適用できる。但し、本実施形態では、ピンチアウト操作やピンチイン操作の例であり、基本的にタッチセンサ１２でのタッチ操作についての処理となり、且つ、タッチセンサ１２がマルチタッチ対応である場合に限る。マルチタッチに対応させるためには、例えば投射型の静電容量方式等のセンサを採用すればよい。無論、ポインティングデバイスを有する操作部１４であっても、ピンチアウト操作やピンチイン操作が可能なようにポインティングデバイスを構築するかボタンの割り当てを行えば、同様に適用は可能である。
【００８９】
本実施形態では、上記所定のタッチ操作をピンチアウト操作とする。このピンチアウト操作はストレッチ操作とも呼ばれる。境界線（第１の実施形態でのように分割表示領域間での境界線であっても、第２の実施形態でのようにベゼル部１７との境界線であっても、同様に適用できる）を含む所定太さの線を挟むように若しくは覆うように２つの指でタッチした後、その２つの指を開くような操作をタッチセンサ１２が受け付けた場合、制御部１０は、新たな分割表示領域を生成し、新たに生成した分割表示領域に別の画像を表示させるように表示制御を行う。但し、第２の実施形態で説明したように、上記表示領域に表示されている画像とは別の画像が表示装置に入力可能な状態である必要がある。
【００９０】
また、本実施形態では、分割表示領域の削除にも対応させることができる。その場合、上記所定のタッチ操作をピンチイン操作とすればよい。このピンチイン操作は、単にピンチ操作とも呼ばれる。２本の境界線について、各境界線（第１の実施形態でのように分割表示領域間での境界線であっても、第２の実施形態でのようにベゼル部１７との境界線であっても、同様に適用できる）を含む所定太さの線上を２つの指でタッチした後、その２つの指を閉じるような操作をタッチセンサ１２が受け付けた場合、制御部１０は、その２本の境界線で囲まれる分割表示領域を削除し、残りの画像だけを表示させるように表示制御を行う。
【００９１】
ここで、本実施形態、並びに第１，第２の実施形態における黒帯部分の処理について補足する。図３Ｂ，図３Ｄ，図３Ｅに存在するような黒帯部分については、その黒帯がどの画像の表示に際して付されたものであるか（つまりどの画像に属して付されたものであるか）を判定し、その判定結果に基づき黒帯部分も含めて分割表示領域を定め、分割表示領域間の境界線を決めればよい。代替処理として、黒帯部分を除いて分割表示領域を定め、黒帯部分は上記「境界線を含む所定太さの線」と取り扱って処理するようにしてもよい。その場合には、黒帯部分に関しては、幅方向の中心線を境界線と取り扱い、所定太さとして黒帯の幅を採用する（所定太さを黒帯部分の幅に応じて変更する）ようにすればよい。
【００９２】
（第４の実施形態）
本発明の第４の実施形態について、図５を併せて参照しながら説明する。図５は、本発明の第４の実施形態に係る表示装置の一構成例を示す機能ブロック図である。図５で例示する表示装置５は、図１の表示装置１の詳細な構成例であると言え、第１〜第３のいずれの実施形態にも適用できる。本実施形態でも、タッチセンサ１２でのタッチ操作について例に挙げて説明するが、他の操作入力部の例である操作部１４であっても基本的には同様であり、その説明を省略する。
【００９３】
図５で例示する表示システムは、ＰＣ４ｐ及びスマートフォン４ｓから出力された映像を用いて表示装置５にて２画面表示が可能となっている。表示装置５は、表示装置１の制御部１０に対応する制御部５０、タッチセンサ１２に対応するタッチパネル５４、及び表示部１３に対応する表示部５３を備えている。なお、表示装置１の通信部１１に相当する通信部については、表示装置５では接続ケーブルのみ図示している。
【００９４】
制御部５０は、表示制御部５１及びタッチパネル制御部５２を有している。また、表示制御部５１は、入力映像処理部５１ａ、画面構成構築部５１ｂ、及び表示処理部５１ｃを有している。タッチパネル制御部５２は、タッチイベント検出部５２ａ、タッチイベント制御部５２ｂ、タッチイベント送信部５２ｃ、及びセレクタ５２ｄを有している。
【００９５】
また、表示装置５には、図２で例示したＰＣ４ｐとスマートフォン４ｓとがそれぞれ上記接続ケーブルで接続されている。ＰＣ４ｐは、その全体を制御する主制御部４１ｐ、表示制御部４２ｐ、及びカーソル制御部４５を備えている。また、スマートフォン４ｓは、その全体を制御する主制御部４１ｓ、表示制御部４２ｓ、表示部４６、及びタッチパネル制御部４７を備えている。表示制御部４２ｐは、映像処理部４３ｐ及び出力処理部４４ｐを有し、表示制御部４２ｓは、映像処理部４３ｓ及び出力処理部４４ｓを有している。
【００９６】
まず、ＰＣ４ｐ及びスマートフォン４ｓからの映像出力について説明する。ＰＣ４ｐにおいて、映像処理部４３ｐは、表示装置５に出力するための映像に対して様々な映像処理を施し、出力処理部４４ｐは、映像処理後の映像を接続ケーブルを介して出力する処理を行う。カーソル制御部４５は、映像中のカーソルの位置の移動を制御する。カーソル制御部４５は、ＰＣ４ｐのオペレーションシステム（ＯＳ）の一部として組み込むことができる。
【００９７】
同様に、スマートフォン４ｓにおいて、映像処理部４３ｓは、表示装置５に出力するための映像に対して様々な映像処理を施し、出力処理部４４ｓは、映像処理後の映像を接続ケーブルを介して出力する処理を行う。映像処理部４３ｐ，４３ｓにおける上記映像処理としては、映像の色を補正する処理、映像の回転処理、映像のスケーリング処理、映像から黒帯部分を付与／除去する処理などを含んでもよい。
【００９８】
また、スマートフォン４ｓは、表示部４６にも表示制御部４２ｓから出力される映像を表示させることが可能となっており、表示部４６には図示しないタッチパネルも搭載されている。このタッチパネル上でのタッチ操作も、後述するタッチパネル制御部４７で受け付けられ、そのタッチ操作の情報（入力座標情報等）に応じた処理が実行される。タッチパネル制御部４７は、スマートフォン４ｓのオペレーションシステム（ＯＳ）の一部として組み込むことができる。無論、ＰＣ４ｐにも同様の表示部（及びタッチパネル）を備えておいてもよい。
【００９９】
入力映像処理部５１ａは、ＰＣ４ｐやスマートフォン４ｓから入力された映像に対して、映像の色を補正する処理等の映像処理を施して、画面構成構築部５１ｂに出力する。但し、最終的に表示部５３に表示されない映像についてはこの映像処理を施さなくてもよい。
【０１００】
画面構成構築部５１ｂは、ＰＣ４ｐやスマートフォン４ｓから入力された映像を、後述するタッチイベント制御部５２ｂからの指示に基づき適宜選択し、スケーリング処理を施し、２画面に合成するなどの画面構成を構築する映像処理を施し、表示処理部５１ｃに出力する。この映像処理には、映像から黒帯部分を付与／除去する処理などを含むことができる。表示処理部５１ｃは、画面構成構築部５１ｂから出力された映像を表示部５３に表示させるような処理を行う。これにより、表示部５３の表示領域に映像が表示される。
【０１０１】
このようにして表示された映像に対し、表示領域においてタッチパネル５４がタッチされた場合の処理について説明する。タッチパネル５４は、表示領域上でタッチ操作がなされると、タッチ操作がなされた位置を特定する情報（入力座標情報）をタッチイベント検出部５２ａに渡す。タッチイベント検出部５２ａは、そのタッチ操作がどのような動作（タッチイベント）であったかを示す情報、例えばスライド操作、フリック操作等であることを示す情報を検出する。この検出に係る判定は上述した判定ＩＩに該当する。タッチイベント検出部５２ａは、上記入力座標情報と上記情報（以下、合わせてタッチ情報と言う）をタッチイベント制御部５２ｂに渡す。
【０１０２】
タッチイベント制御部５２ｂは、そのタッチ情報がＰＣ４ｐ、スマートフォン４ｓのいずれの映像に対する情報であったかを、画面構成構築部５１ｂで構築されている現在の画面の情報と上記入力座標情報とに基づき判定し、その判定結果である画面構成構築部５１ｂで構築されている現在の画面の情報と共に上記入力座標情報を、タッチイベント送信部５２ｃに渡す。
【０１０３】
その判定結果がＰＣ４ｐであった場合、タッチイベント送信部５２ｃは、セレクタ５２ｄにＰＣ４ｐ側に指示を送信できるように指示先を合わせる（切り替える）指示を行い、その後、ＰＣ４ｐにタッチ情報を送信する。そのタッチ情報を受けたＰＣ４ｐは、カーソル制御部４５がそのタッチ情報が示すようにカーソルの位置を移動させたり、文字選択範囲を指定して反転させたり、アイコンを移動させるなどの処理を行う。そして、その処理後の映像は、映像処理部４３ｐで反映され、最終的に表示部５３での表示映像として反映される。
【０１０４】
一方で、その判定結果がスマートフォン４ｓであった場合、タッチイベント送信部５２ｃは、セレクタ５２ｄにスマートフォン４ｓ側に指示を送信できるように指示先を合わせる（切り替える）指示を行い、その後、スマートフォン４ｓにタッチ情報を送信する。そのタッチ情報を受けたスマートフォン４ｓは、タッチパネル制御部４７がそのタッチ情報が示すようにタッチ位置を移動させたり、文字選択範囲を指定して反転させたり、アイコンを移動させるなどの処理を行う。そして、その処理後の映像は、映像処理部４３ｐで反映され、最終的に表示部５３での表示映像として反映される。
【０１０５】
また、タッチイベント制御部５２ｂは、２分割表示以上の分割表示がなされている場合、上記タッチ情報に基づき、そのタッチ情報が、分割表示領域間の境界線を含む所定太さの線上の点から始まる、所定のタッチ操作を示しているか否かを判定する。この判定は上述した判定Ｉに該当する。
【０１０６】
この所定のタッチ操作として、境界線に略垂直方向にスライドさせるスライド操作を採用した場合について説明する。タッチイベント制御部５２ｂは、上記点から始まり且つそのようなスライド操作であると判定した場合には、対象となる境界線を示す情報とスライドさせた分を示す情報とから、スライドさせた分だけ境界線を移動させるように各分割表示領域の表示比率を計算し、対象となる境界線を示す情報と共に、画面構成構築部５１ｂに渡す。このとき、必要に応じて黒帯の付加／除去などの指示も画面構成構築部５１ｂに行えばよい。その後、画面構成構築部５１ｂでの画面構成の構築処理及び表示処理部５１ｃでの表示処理により、表示部５３に上記境界線が移動された結果の映像が表示される。
【０１０７】
上記の所定のタッチ操作として、境界線に略垂直方向にフリックさせるフリック操作を採用した場合について説明する。タッチイベント制御部５２ｂは、上記点から始まり且つそのようなフリック操作であると判定した場合には、対象となる境界線を示す情報と所定距離を示す情報とから、所定距離だけ境界線を移動させるように各分割表示領域の表示比率を計算し、対象となる境界線を示す情報と共に、画面構成構築部５１ｂに渡す。このとき、必要に応じて黒帯の付加／除去などの指示も画面構成構築部５１ｂに行えばよい。その後、画面構成構築部５１ｂでの画面構成の構築処理及び表示処理部５１ｃでの表示処理により、表示部５３に上記境界線が移動された結果の映像が表示される。
【０１０８】
なお、ここでは、説明の簡略化のために、第１表示変更処理のみを実行する場合について説明した。他の表示変更処理も併せて採用する場合には、例えばタッチイベント制御部５２ｂが、上記タッチ情報に基づき、採用する表示変更処理を実行する際に受け付けるような所定のタッチ操作を示しているか否かの判定も行い、必要に応じて境界線の移動等を行うための計算（各分割表示領域の表示比率の計算）を行って、対象となる境界線を示す情報と共にその計算結果を画面構成構築部５１ｂに渡すようにすればよい。
【０１０９】
（第５の実施形態）
本発明の第５の実施形態について、図６を併せて参照しながら説明する。図６は、本発明の第５の実施形態に係る表示装置の回路構成例を示す図である。図６で例示する表示装置６は、図１の表示装置１や図５の表示装置５の回路構成例であると言え、第１〜第４のいずれの実施形態にも適用できる。本実施形態でも、タッチセンサ１２でのタッチ操作について例に挙げて説明するが、他の操作入力部の例である操作部１４であっても基本的には同様であり、その説明を省略する。
【０１１０】
表示装置６は、ＵＳＢコネクタ６１ａ，６１ｂ、ＵＳＢ Ｉ／Ｆ（インターフェイス）コントローラ６２、デジタル信号処理回路６３、アナログ信号処理回路６４、タッチセンサ６５、ＤＰ（DisplayPort：登録商標）／ＨＤＭＩコネクタ６６ａ，６６ｂ、画像処理回路６７、パネルコントローラ６８、及び表示パネル６９を備えている。
【０１１１】
ここで、パネルコントローラ６８及び表示パネル６９は、表示装置１の表示部１３に対応している。また、アナログ信号処理回路６４及びタッチセンサ６５は、タッチセンサ１２に対応している。ＵＳＢ Ｉ／Ｆコントローラ６２、デジタル信号処理回路６３、及び画像処理回路６７は、制御部１０に対応している。ＵＳＢコネクタ６１ａ，６１ｂ及びＤＰ／ＨＤＭＩコネクタ６６ａ，６６ｂは、通信部１１に対応している。なお、図６においては、実線の矢印でタッチに関する信号、破線の矢印で映像に関する信号を示している。
【０１１２】
ＤＰ／ＨＤＭＩコネクタ６６ａ，６６ｂはいずれも、ＤＰケーブル又はＨＤＭＩケーブルと接続するためのＩ／Ｆである。ＤＰ／ＨＤＭＩコネクタ６６ａはＤＰケーブル又はＨＤＭＩケーブルを介して図２や図５におけるＰＣ４ｐに接続されており、ＤＰ／ＨＤＭＩコネクタ６６ｂはＤＰケーブル又はＨＤＭＩケーブルを介して図２や図５におけるスマートフォン４ｓに接続されている。ＤＰケーブル又はＨＤＭＩケーブルを介して、ＰＣ４ｐやスマートフォン４ｓから映像信号が表示装置６に送信され、画像処理回路６７に出力される。
【０１１３】
画像処理回路６７は、このようにして外部から入力された映像信号を、表示パネル６９に出力する信号に変換し、パネルコントローラ６８に出力する回路であり、スケーラや黒帯付加／除去回路等も有している。画像処理回路６７は、入力ソースの切り替え、音量調整などの表示装置６における各種設定の変更を受け付けるためのＯＳＤ画像を映像に重畳する処理も行う。パネルコントローラ６８は、表示パネル６９を駆動する駆動回路であり、表示パネル６９はこの駆動により、画像処理回路６７から出力された映像信号が示す映像を表示させる。
【０１１４】
ＵＳＢコネクタ６１ａ，６１ｂはいずれも、ＵＳＢケーブルと接続するためのＩ／Ｆである。ＵＳＢコネクタ６１ａはＵＳＢケーブルを介して図２や図５におけるＰＣ４ｐに接続されており、ＵＳＢコネクタ６１ｂはＵＳＢケーブルを介して図２や図５におけるスマートフォン４ｓに接続されている。ＵＳＢケーブルを介して、表示装置６から操作信号がＰＣ４ｐやスマートフォン４ｓに送信される。ＵＳＢ Ｉ／Ｆコントローラ６２は、ＵＳＢコネクタ６１ａにＵＳＢケーブルを介して接続されたＰＣ４ｐやＵＳＢコネクタ６１ｂにＵＳＢケーブルを介して接続されたスマートフォン４ｓとの間で、ＵＳＢ規格のプロトコルに従って信号のやり取りを行う制御回路である。
【０１１５】
タッチセンサ６５は、例えば表示パネル６９の表示領域に対応する範囲でマトリクス状に設けられた静電容量方式等のセンサであり、表示パネル６９の上に重ねて設けられている。アナログ信号処理回路６４は、タッチセンサ６５の駆動を行うと共に、タッチセンサ６５からのアナログの検出信号を入力する回路である。この検出信号は、例えば、タッチ操作がなされた位置を特定する情報（入力座標情報）とその位置での静電容量の変化量の値とを示す信号である。アナログ信号処理回路６４は、入力した検出信号をそのまま、或いはノイズ処理等を施してから、デジタル信号処理回路６３に出力する。
【０１１６】
デジタル信号処理回路６３は、アナログ信号処理回路６４からアナログの検出信号を入力し、所定の演算を行い、デジタル情報としてのタッチ情報に変換し、ＵＳＢ Ｉ／Ｆコントローラ６２に出力する回路である。この所定の演算は、上述した判定Ｉ，ＩＩを含む。よって、デジタル信号処理回路６３によりどのような点からどのようなタッチ操作がなされたのかについても区別できる。
【０１１７】
ＵＳＢ Ｉ／Ｆコントローラ６２は、入力されたタッチ情報が分割表示領域間の境界線を含む所定太さの線上の点から始まる上記所定のタッチ操作に該当するか否かによって、タッチ情報の出力先を振り分ける。ＵＳＢ Ｉ／Ｆコントローラ６２は、分割表示領域間の境界線を含む所定太さの線上の点から始まる上記所定のタッチ操作に該当しないものである場合には、現在の画面構成（分割表示領域の配列）に基づきＵＳＢコネクタ６１ａ，６１ｂのいずれかを選択してそのタッチ情報をＰＣ４ｐ、スマートフォン４ｓのいずれかに出力する。ＰＣ４ｐ、スマートフォン４ｓは、そのタッチ情報を反映させた映像信号をそれぞれＤＰ／ＨＤＭＩコネクタ６６ａ，６６ｂを介して送信し、最終的に表示パネル６９での表示映像に反映されることになる。
【０１１８】
一方、ＵＳＢ Ｉ／Ｆコントローラ６２は、入力されたタッチ情報が分割表示領域間の境界線を含む所定太さの線上の点から始まる上記所定のタッチ操作に該当するものである場合には、そのタッチ情報を画像処理回路６７に出力する。画像処理回路６７は、そのタッチ情報を反映させて分割表示領域間の境界線の移動を行うように画面構成を構築するなどの映像処理を施す。この映像処理の結果は、最終的に表示パネル６９での表示映像に反映されることになる。
【０１１９】
表示装置６は、上述のような構成であるため、境界線タッチを検出するに際しては、例えば、従来のタッチセンサ６５をそのまま用いて（従来のタッチセンサ６５のハードウェア構成を変更することなく）、デジタル信号処理回路６３及び／又はＵＳＢ Ｉ／Ｆコントローラ６２に組み込まれたソフトウェア（ファームウェア）の変更のみで対応できる。
【０１２０】
（第６の実施形態）
本発明の第６の実施形態に係る表示装置として、それ自体にコンテンツを再生するコンテンツ再生機能をもたせた装置について簡単に説明する。このような構成の場合、上述したように、本発明に係る表示装置は、外部のソース機器に接続するための構成を具備しない装置であってもよい。
【０１２１】
そして、このような外部接続のための構成を具備するか否かに拘わらず、複数のソース機器として、表示装置内部に複数の記憶装置及び／又は複数のコンテンツ表示（再生）アプリケーション等を具備させておけば、それらから読み出した画像を分割表示することができる。つまり、第１〜第５の実施形態における「ソース機器」が、表示装置内の記憶装置又はコンテンツ表示アプリケーション等に該当すると捉えることもできる。
【０１２２】
テレビ装置を例に挙げて説明すると、本発明のような表示変更処理は、例えばレコーダ機器等の外部の複数のソース機器からの画像のみを表示する場面で適用することもできるし、内部の２以上のコンテンツ（放送波として受信した地上デジタル放送コンテンツや衛星放送コンテンツなど）の画像のみを表示する場面でも適用することもできる。また、外部のソース機器からの画像と内部のコンテンツの画像を同時に表示する場面でも適用することができる。
【０１２３】
（その他）
以上、本発明に係る表示装置について説明したが、処理の流れをフロー図で例示したように、本発明は、画像を表示する表示部と、上記表示部での表示制御を行う制御部と、ユーザによる操作入力を受け付ける操作入力部と、を備えた表示装置における表示方法や、その表示方法をコンピュータ（表示装置の制御部）に実行させるためのプログラムとしての形態も採り得る。
【０１２４】
この表示方法は、上記表示部（上記表示部の表示領域）を２以上に分割してなる分割表示領域のそれぞれに異なるソース機器から入力された画像が表示された状態で、上記操作入力部が上記分割表示領域間の境界線を含む所定太さの線上の点から始まる、所定の操作を受け付けた場合、上記制御部が、上記境界線を移動させるように表示制御を行う。その他の応用例については、表示装置について説明した通りであり、その説明を省略する。
【０１２５】
上記プログラムは、換言すると、この表示方法を、上記表示部及び上記操作入力部を備えたコンピュータに実行させるためのプログラムである。すなわち、このプログラムは、上記コンピュータに、上記表示部（上記表示部の表示領域）を２以上に分割してなる分割表示領域のそれぞれに異なるソース機器から入力された画像が表示された状態で、上記操作入力部が上記分割表示領域間の境界線を含む所定太さの線上の点から始まる、所定の操作を受け付けた場合、上記境界線を移動させるように表示制御を行うステップを実行させるためのプログラムである。その他の応用例については、表示装置について説明した通りであり、その説明を省略する。
【０１２６】
また、上記プログラムをコンピュータにより読み取り可能な記録媒体に記録したプログラム記録媒体としての形態についても容易に理解することができる。このコンピュータとしては、上述したように、汎用のＰＣに限らず、マイクロコンピュータやプログラム可能な汎用の集積回路／チップセットなど、様々な形態のコンピュータが適用できる。また、このプログラムは、可搬の記録媒体を介して流通させるに限らず、インターネット等のネットワークを介して、また放送波を介して流通させることもできる。ネットワークを介して受信するとは、外部サーバの記憶装置などに記録されたプログラムを受信することを指す。
【符号の説明】
【０１２７】
１，５，６…表示装置、４ｐ…ＰＣ、４ｓ…スマートフォン、１０，５０…制御部、１１…通信部、１２，６５…タッチセンサ、１３，５３…表示部、１４…操作部、１７…ベゼル部、２１…ポインタ、５１…表示制御部、５１ａ…入力映像処理部、５１ｂ…画面構成構築部、５１ｃ…表示処理部、５２…タッチパネル制御部、５２ａ…タッチイベント検出部、５２ｂ…タッチイベント制御部、５２ｃ…タッチイベント送信部、５２ｄ…セレクタ、５４…タッチパネル、６１ａ，６１ｂ…ＵＳＢコネクタ、６２…ＵＳＢ Ｉ／Ｆコントローラ、６３…デジタル信号処理回路、６４…アナログ信号処理回路、６６ａ，６６ｂ…ＤＰ／ＨＤＭＩコネクタ、６７…画像処理回路、６８…パネルコントローラ、６９…表示パネル。
【図１】
2015194795.tif 000003
【図２】
2015194795.tif 000004
【図３Ａ】
2015194795.tif 000005
【図３Ｂ】
2015194795.tif 000006
【図３Ｃ】
2015194795.tif 000007
【図３Ｄ】
2015194795.tif 000008
【図３Ｅ】
2015194795.tif 000009
【図４】
2015194795.tif 000010
【図５】
2015194795.tif 000011
【図６】
2015194795.tif 000012